(57)【要約】【課題】情報処理端末を給湯器用のリモートコントローラとして使用しうる構成、且つ、リモートコントローラ機能を実行し得るモードに切り替える際のユーザの手間を軽減し得る構成を実現する。【解決手段】リモートコントローラ装置１００は、情報処理端末１１０と保持装置１３０とを備える。検出部は、情報処理端末１１０の所定の配置状態を検出し、表示制御部は、検出部が所定の配置状態を検出した場合に、表示装置１２２に表示する待機画像をリモートコントローラ画像とする第１表示モードに切り替え、所定の解除条件が成立した場合にリモートコントローラ画像の表示を解除する第２表示モードに切り替える。第１無線通信部１１８（送信部）は、表示装置１２２にリモートコントローラ画像が表示された状態で、タッチパネル１２２Ａに対して操作がなされた場合に、操作に応じた動作指示情報を送信する。【選択図】図１
2018170649.tif 000002
【特許請求の範囲】
【請求項１】
タッチパネルが設けられてなる表示装置を備えた情報処理端末と、
無線送信された情報を受信する受信部と、給湯器に情報を伝送する伝送部と、を備えた中継装置と、
前記情報処理端末が所定の配置状態となったことを検出する検出部と、
を有し、
前記情報処理端末は、
少なくとも前記検出部が前記所定の配置状態を検出した場合に、前記表示装置に表示する待機画像をリモートコントローラ画像とする第１表示モードに切り替え、所定の解除条件が成立した場合に前記リモートコントローラ画像の表示を解除する第２表示モードに切り替える表示制御部と、
前記表示装置に前記リモートコントローラ画像が表示された状態で、前記タッチパネルに対して操作がなされた場合に、操作に応じた動作指示情報を送信する送信部と、
を備え、
前記中継装置の前記受信部は、前記送信部から前記動作指示情報が送信された場合に、前記動作指示情報を受信し、
前記中継装置の前記伝送部は、前記動作指示情報を前記受信部が受信した場合に、前記動作指示情報又は前記動作指示情報に対応する対応情報を前記給湯器に伝送する給湯器用のリモートコントローラ装置。
【請求項２】
前記中継装置は、前記情報処理端末を保持する保持部を備えた保持装置として構成され、
前記検出部は前記情報処理端末が前記保持部に保持された保持状態を前記所定の配置状態として検出する請求項１に記載の給湯器用のリモートコントローラ装置。
【請求項３】
タッチパネルが設けられてなる表示装置を備えた情報処理端末と、
前記情報処理端末を着脱可能に保持する保持部を備えた保持装置と、
前記情報処理端末が所定の配置状態となったことを検出する検出部と、
を有し、
前記検出部は前記情報処理端末が前記保持部に保持された保持状態を前記所定の配置状態として検出し、
前記情報処理端末は、
少なくとも前記検出部が前記保持状態を検出した場合に、前記表示装置に表示する待機画像をリモートコントローラ画像とする第１表示モードに切り替え、所定の解除条件が成立した場合に前記リモートコントローラ画像の表示を解除する第２表示モードに切り替える表示制御部と、
前記表示装置に前記リモートコントローラ画像が表示された状態で、前記タッチパネルに対して操作がなされた場合に、操作に応じた動作指示情報を無線送信する送信部と、
を備える給湯器用のリモートコントローラ装置。
【請求項４】
前記情報処理端末が前記所定の配置状態のときに前記保持装置側の電力に基づいて前記情報処理端末を充電する充電部を有する請求項２又は請求項３に記載の給湯器用のリモートコントローラ装置。
【請求項５】
前記充電部は、前記保持装置に設けられた送電部と、前記情報処理端末に設けられた受電部とを有し、前記送電部と前記受電部との間で非接触給電を行う請求項４に記載の給湯器用のリモートコントローラ装置。
【請求項６】
前記保持装置は、浴室の壁部に固定されるものである請求項２から請求項５のいずれか一項に記載の給湯器用のリモートコントローラ装置。
【請求項７】
前記保持装置は、前記情報処理端末を載置する載置部を有し、
前記載置部には、前記情報処理端末を載置する載置面側から下方側に水を抜くための水抜き孔が形成されている請求項２から請求項６のいずれか一項に記載の給湯器用のリモートコントローラ装置。
【請求項８】
前記表示制御部は、前記検出部が前記所定の配置状態を検出している状態から検出していない状態に切り替わった場合に前記第２表示モードに切り替える請求項１から請求項７のいずれか一項に記載の給湯器用のリモートコントローラ装置。
【請求項９】
請求項１から請求項８のいずれか一項に記載の給湯器用のリモートコントローラ装置と、前記給湯器とを含む給湯システム。
【発明の詳細な説明】
【技術分野】
【０００１】
本発明は、給湯器用のリモートコントローラ装置及び給湯システムに関するものである。
【背景技術】
【０００２】
給湯器システムでは、台所や浴室などに設置されたリモートコントローラによって各種機能を実行するような方式が採用されている。例えば、台所や浴室などの壁面に固定される形態でリモートコントローラが設置され、ユーザがそのリモートコントローラを操作することで給湯温度、ふろ温度、音声通話、自動湯張り、追い焚きなどの様々な機能を実行し得るようになっている。
【０００３】
この種の給湯器システムでは、タブレット端末などの携帯型情報処理端末を給湯器用のリモートコントローラとして用いる技術も提案されている。例えば、特許文献１で開示された風呂給湯器では、携帯型情報処理端末に風呂給湯器用のアプリケーションプログラム（風呂給湯器アプリ）がインストールされており、所定の音声メッセージを出力させる際に、出力先の携帯型情報処理端末で風呂給湯器アプリが未起動であったり、バックグラウンドで動作したりしている場合は、風呂給湯器アプリをフォアグランドに移行させて音声メッセージを出力させる。
【先行技術文献】
【特許文献】
【０００４】
【特許文献１】特開２０１６−２０５７１０号公報
【発明の概要】
【発明が解決しようとする課題】
【０００５】
近年では、動画やインターネットなどを様々な場所で楽しもうとするニーズが高まりつつあり、リモートコントローラ機能が付加された情報処理端末においても、他の機能（動画やインターネットなどのリモートコントローラ以外の機能）の実行が望まれる場面が想定される。例えば、この種の情報処理端末を浴室内で使用する場合、給湯器を操作する場面では、情報処理端末をリモートコントローラとして機能させるモードに切り替える必要があり、浴槽内で動画鑑賞やネットサーフィンなどを行う場面では、リモートコントローラ以外の機能を実行するモードに切り替える必要がある。
【０００６】
情報処理端末においてリモートコントローラ機能を実行するモードとリモートコントローラ以外の機能を実行するモードとを切り替える方法としては、例えば、ユーザが情報処理端末に対して何らかの切替操作を行ったときに、リモートコントローラ以外の機能を実行するモードに切り替えて動画やインターネットなどの機能を実行し得る画面状態とし、ユーザが何らかの復帰操作を行ったときにリモートコントローラ機能を実行するモードに切り替えてリモートコントローラ用の画像表示がなされるようにすることが考えられる。しかし、このような方法では、情報処理端末をリモートコントローラとして使用する度に、リモートコントローラ用の画像表示に切り替えるための操作をユーザに毎回強いることになり、ユーザの手間が大きくなる。
【０００７】
本発明は、上述した課題を解決するためになされたものであり、情報処理端末を給湯器用のリモートコントローラとして使用しうる構成、且つ、リモートコントローラ機能を実行し得るモードに切り替える際のユーザの手間を軽減し得る構成を実現することを目的とするものである。
【課題を解決するための手段】
【０００８】
本発明の第１態様である給湯器用のリモートコントローラ装置は、
タッチパネルが設けられてなる表示装置を備えた情報処理端末と、
無線送信された情報を受信する受信部と、給湯器に情報を伝送する伝送部と、を備えた中継装置と、
前記情報処理端末が所定の配置状態となったことを検出する検出部と、
を有し、
前記情報処理端末は、
少なくとも前記検出部が前記所定の配置状態を検出した場合に、前記表示装置に表示する待機画像をリモートコントローラ画像とする第１表示モードに切り替え、所定の解除条件が成立した場合に前記リモートコントローラ画像の表示を解除する第２表示モードに切り替える表示制御部と、
前記表示装置に前記リモートコントローラ画像が表示された状態で、前記タッチパネルに対して操作がなされた場合に、操作に応じた動作指示情報を送信する送信部と、
を備え、
前記中継装置の前記受信部は、前記送信部から前記動作指示情報が送信された場合に、前記動作指示情報を受信し、
前記中継装置の前記伝送部は、前記動作指示情報を前記受信部が受信した場合に、前記動作指示情報又は前記動作指示情報に対応する対応情報を前記給湯器に伝送する。
【０００９】
本発明の第２態様である給湯器用のリモートコントローラ装置は、
タッチパネルが設けられてなる表示装置を備えた情報処理端末と、
前記情報処理端末を着脱可能に保持する保持部を備えた保持装置と、
前記情報処理端末が所定の配置状態となったことを検出する検出部と、
を有し、
前記検出部は前記情報処理端末が前記保持部に保持された保持状態を前記所定の配置状態として検出し、
前記情報処理端末は、
少なくとも前記検出部が前記保持状態を検出した場合に、前記表示装置に表示する待機画像をリモートコントローラ画像とする第１表示モードに切り替え、所定の解除条件が成立した場合に前記リモートコントローラ画像の表示を解除する第２表示モードに切り替える表示制御部と、
前記表示装置に前記リモートコントローラ画像が表示された状態で、前記タッチパネルに対して操作がなされた場合に、操作に応じた動作指示情報を無線送信する送信部と、
を備える。
【００１０】
本発明の第３態様である給湯システムは、上記給湯器用のリモートコントローラ装置と、給湯器とを含む。
【発明の効果】
【００１１】
第１態様の給湯器用のリモートコントローラ装置は、情報処理端末が所定の配置状態となったことを検出部が検出する。そして、情報処理端末に設けられた表示制御部は、検出部が所定の配置状態を検出した場合に、表示装置に表示する待機画像をリモートコントローラ画像とする第１表示モードに切り替え、所定の解除条件が成立した場合にリモートコントローラ画像の表示を解除する第２表示モードに切り替える。このような構成であるため、所定の解除条件の成立により、リモートコントローラ画像の表示を解除して他の機能を実行することが可能となり、その後、情報処理端末をリモートコントローラとして機能させたい場合には、情報処理端末を所定の配置状態にするという簡単な作業に基づき、待機画像をリモートコントローラ画像とするモード（第１表示モード）に自動的に切り替えることができる。ゆえに、リモートコントローラ機能を実行し得るモードに切り替える際のユーザの手間を軽減することができる。
【００１２】
第２態様の給湯器用のリモートコントローラ装置は、情報処理端末と、保持部を備えた保持装置と、検出部とを有しており、検出部は、情報処理端末が保持部に保持された保持状態を所定の配置状態として検出する。そして、情報処理端末に設けられた表示制御部は、少なくとも検出部が保持状態を検出した場合に、表示装置に表示する待機画像をリモートコントローラ画像とする第１表示モードに切り替え、所定の解除条件が成立した場合にリモートコントローラ画像の表示を解除する第２表示モードに切り替える。このような構成であるため、所定の解除条件の成立により、リモートコントローラ画像の表示を解除して他の機能を実行することが可能となり、その後、情報処理端末をリモートコントローラとして機能させたい場合には、情報処理端末を保持部に保持させる（保持状態にする）という簡単な作業に基づき、待機画像をリモートコントローラ画像とするモード（第１表示モード）に自動的に切り替えることができる。ゆえに、リモートコントローラ機能を実行し得るモードに切り替える際のユーザの手間を軽減することができる。
【００１３】
第３態様の給湯システムは、第１態様又は第２態様の給湯器用のリモートコントローラ装置と同様の効果を奏する。
【図面の簡単な説明】
【００１４】
【図１】図１は、実施例１の給湯システムを概念的に示す説明図である。
【図２】図２は、実施例１の給湯システムのうち、主に給湯器内の構成を具体的に示す説明図である。
【図３】図３は、実施例１の給湯システムの電気的構成を簡略的に示すブロック図である。
【図４】図４は、実施例１の給湯システムにおけるリモートコントローラ装置を概略的に示す斜視図である。
【図５】図５は、図４のリモートコントローラ装置の情報処理端末にリモートコントローラ画像が表示された例を示す説明図である。
【図６】図６は、図４のリモートコントローラ装置の情報処理端末にリモートコントローラ画像以外の画像が表示された例を示す説明図である。
【図７】図７は、図４のリモートコントローラ装置における保持装置を概略的に示す斜視図である。
【発明を実施するための形態】
【００１５】
本発明の好ましい形態を以下に例示する。
【００１６】
中継装置は、情報処理端末を保持する保持部を備えた保持装置として構成されていてもよい。検出部は情報処理端末が保持部に保持された保持状態を所定の配置状態として検出するように動作してもよい。このリモートコントローラ装置は、情報処理端末をリモートコントローラとして機能させたい場合に、情報処理端末を保持部に保持させる（保持状態にする）という簡単な作業に基づき、待機画像をリモートコントローラ画像とするモード（第１表示モード）に切り替えることができる。ゆえに、リモートコントローラ機能を実行し得るモードに切り替える際のユーザの手間を軽減することができる。しかも、情報処理端末が保持部に保持された安定状態で、情報処理端末をリモートコントローラとして機能させることができるため、情報処理端末から保持装置側に動作指示情報を確実に伝送しやすくなる。
【００１７】
給湯器用のリモートコントローラ装置は、情報処理端末が所定の配置状態のときに保持装置側の電力に基づいて情報処理端末を充電する充電部を有していてもよい。このリモートコントローラ装置は、情報処理端末を所定の配置状態に戻すという簡単な作業に基づいてリモートコントローラ機能を実行しやすい状態に復帰させ、しかも、その状態で充電も行うことができる。このようにリモートコントローラ機能の実行時に情報処理端末が充電されやすくなるため、リモートコントローラ以外の機能の実行時に充電不足が生じにくくなる。
【００１８】
充電部は、保持装置に設けられた送電部と、情報処理端末に設けられた受電部とを有していてもよい。送電部と受電部との間で非接触給電を行うように構成されていてもよい。このリモートコントローラ装置は、情報処理端末と保持装置との間の固定配線や露出端子などを低減又は省略することができる。また、情報処理端末が正規位置から多少ずれていても充電が行われやすくなる。
【００１９】
保持装置は、浴室の壁部に固定されるものであってもよい。このリモートコントローラ装置は、例えば、浴室内で情報処理端末をある程度自由に移動させることができるため、ユーザは、入浴しながら情報処理端末を手に取ったり所望の位置に載置したりしながら、情報処理端末にリモートコントローラ以外の機能の実行させるように楽しむことができる。一方で、浴室内においてリモートコントローラ機能を実行したい場合には、情報処理端末を所定の配置状態にするといった簡単な作業に基づき、待機画像をリモートコントローラ画像とするモード（第１表示モード）に切り替えることができる。
【００２０】
保持装置は、情報処理端末を載置する載置部を有していてもよい。載置部には、情報処理端末を載置する載置面側から下方側に水を抜くための水抜き孔が形成されていてもよい。このリモートコントローラ装置は、情報処理端末を手に取って移動させることを可能としつつ、必要に応じて情報処理端末を載置部に載置しておくことができるようになる。しかも、載置部には水抜き孔が形成されているため載置面上に水が貯留しにくくなり、「載置面上に貯留した水が情報処理端末に悪影響を及ぼす」といった事態が生じにくくなる。
【００２１】
表示制御部は、検出部が所定の配置状態を検出している状態から検出していない状態に切り替わった場合に第２表示モードに切り替えるように動作してもよい。このリモートコントローラ装置は、情報処理端末においてリモートコントローラ以外の機能を実行させたい場合に、所定の配置状態を解除するという簡単な作業に基づき、リモートコントローラ画像の表示を解除するモード（第２表示モード）に切り替えることができる。ゆえに、リモートコントローラ以外の機能を実行し得るモードに切り替える際のユーザの手間も軽減することができる。しかも、所定の配置状態の解除に応じてリモートコントローラ画像の表示を解除することができるため、ユーザが所定の配置状態の解除後に手で持って操作する場合に給湯器を誤操作してしまうリスクを軽減することができる。
【００２２】
＜実施例１＞
以下、実施例１について、図面を参照して説明する。
（基本構成）
図１、図２等で示す給湯システム１は、浴槽への給湯機能と浴槽内の水の加熱機能とを備えた風呂・給湯システムとして構成され、主として、給湯器１Ａと、給湯器１Ａを遠隔操作するための給湯器用のリモートコントローラ装置１００（以下、単にリモートコントローラ装置１００ともいう）とを備えている。
【００２３】
図２のように、給湯器１Ａは、主として、給湯側回路２と、風呂側回路３とを備える。
給湯側回路２は、入水管１２、出湯管１０、ガスバーナ４、熱交換器６（給湯側熱交換器）などを備えており、外部から供給された水道水を加熱し出湯させる経路として機能する。また、風呂側回路３は、ガスバーナ５４（風呂バーナ）、熱交換器５６（風呂側熱交換器）、配管６６、循環ポンプ６２、サーミスタ６４，６５などを備えており、風呂の追い焚き等に利用されるものである。
【００２４】
給湯側回路２において、入水管１２は、水入口１６からの水が流れ込む経路として構成され、出湯管１０は、出湯口１８へ湯を送り出す経路として構成されている。ガスバーナ（給湯バーナ）４は、燃焼ガスを燃焼させて燃焼排気を発生させる部分であり、熱交換器６は、通水管（入水管１２、伝熱管８ａ、配管２０、伝熱管７ａ、出湯管１０によって構成される管路）の途中の位置に設けられ、通水管の内部を通る水に対してガスバーナ４での燃焼によって生じた熱を伝えるように機能する部分である。熱交換器６は、一次熱交換器７及び二次熱交換器８を備えており、一次熱交換器７は、給湯燃焼室９０内においてガスバーナ４の燃焼排気経路の上流側に配置され、二次熱交換器８は、給湯燃焼室９０内において燃焼排気経路の下流側に配置されている。
【００２５】
給湯側回路２では、二次熱交換器８の入口に、水道水を供給する構成で入水管１２が接続されている。入水管１２には、入水管１２を通る水の温度（即ち、通水管に導入された水の温度）を検出する入水温検出部としてのサーミスタ２５と、入水管１２内の通水量（即ち、通水管を流れる水の量）を検出する通水量検出部としての水量センサ３４とが設けられている。入水管１２の下流側には、二次熱交換器８の伝熱管８ａが接続されており、その下流側には、二次熱交換器８の伝熱管８ａと一次熱交換器７の伝熱管７ａとを連結する配管２０が接続される。更に、この配管２０に連結された構成で一次熱交換器７の伝熱管７ａが接続され、一次熱交換器７の出口には、一次熱交換器７で加熱された湯を出湯する構成で出湯管１０が接続されている。そして、この出湯管１０には、出湯管１０内の水の温度を検出するサーミスタ２６が設けられている。一次熱交換器７は、一次熱交換器７内の通水経路となる伝熱管７ａを備えており、伝熱管７ａ内を通る水に対してガスバーナ４で発生した燃焼排気に含まれる燃焼熱を伝熱し、顕熱の熱エネルギーを通水に伝達する形で熱交換する。二次熱交換器８は、二次熱交換器８内の通水経路となる伝熱管８ａを備えており、伝熱管８ａ内を通る水に対し、ガスバーナ４で発生した燃焼排気が一次熱交換器７を通過した後の燃焼熱を伝熱し、潜熱の熱エネルギーを通水に伝達するように熱交換する。
【００２６】
入水管１２と出湯管１０との間をバイパスする通水経路として、熱交換器６とは異なる通水経路として構成されたバイパス路１４が設けられている。バイパス路１４には、バイパス路１４の通水を遮断した閉塞状態と、この閉塞状態よりも開度を増大させた開放状態とに移行可能なバイパス弁３２が設けられている。入水管１２において、バイパス路１４が連結する分岐位置よりも上流側には、通水量制御弁３３が設けられている。通水量制御弁３３は、コントローラ２２からの指示を受けて駆動し、入水管１２を閉塞状態と全開状態との間で様々な開度に連続的に変更できる構成となっている。
【００２７】
ガスバーナ４へのガスの供給を行うガス管４０には、上流側からガス元電磁弁４２、給湯ガス比例制御弁４４、各ガスバーナ４への分岐管ごとの給湯切替電磁弁４６，４６・・が夫々設けられている。給湯燃焼室９０の下方には、燃焼用空気を各ガスバーナ４（給湯バーナ）及びガスバーナ５４（風呂バーナ）へ供給するファン４８が設けられている。ガスバーナ５４（風呂バーナ）に接続されるガス管からの分岐管には、切替電磁弁５３が設けられている。
【００２８】
風呂側回路３において、配管６６は、浴槽６０側からの水を熱交換器５６側へと導くための往き配管６７と、熱交換器５６側からの水を浴槽６０側へと導くための戻り配管６８と、往き配管６７と戻り配管６８とに連結されて熱交換器５６内を通る中間配管６９とを備える。この配管６６は、例えば追い焚き動作時に浴槽６０から引き込まれる水を往き配管６７によって熱交換器５６に導き、この熱交換器５６を通過した水を戻り配管６８によって浴槽６０に導くように循環させる循環経路として機能する。熱交換器５６は、風呂一次熱交換器５７と風呂二次熱交換器５８とを備え、配管６６を通る水に対してガスバーナ５４（風呂バーナ）での燃焼によって生じた燃焼熱を伝達するように、循環水を加熱する構成となっている。往き配管６７は、風呂二次熱交換器５８と浴槽６０との間に配置され、この往き配管６７には、循環ポンプ６２とサーミスタ６４（風呂サーミスタ）とが設けられている。戻り配管６８は、浴槽６０と風呂一次熱交換器５７との間に配置されており、往き配管６７には、往き配管６７を通る水の温度を検出するサーミスタ６５（風呂サーミスタ）が設けられている。循環ポンプ６２は、配管６６内の水を流動させる装置である。また、配管６６には、出湯管１０から分岐された落とし込み管７０が接続されており、この落とし込み管７０には、給湯用電磁弁７２及び落とし込み水量センサ７４が設けられている。そして、落とし込み管７０に設けられた給湯用電磁弁７２を開弁させることで、給湯側回路２で加熱された湯を浴槽６０へ供給することが可能となっている。
【００２９】
図２、図３で示すように、給湯器１Ａには、制御装置としてのコントローラ２２が設けられている。図３で示すように、コントローラ２２には、例えば、公知のマイクロコンピュータ等として構成される制御装置２２Ａと、公知の半導体メモリ等として構成されるメモリ２２Ｂと、外部との通信を行うためのインタフェースとして構成される通信部２２Ｃとが設けられている。コントローラ２２は、給湯側回路２や風呂側回路３に設けられた様々なセンサからの信号を取得可能に構成されており、給湯側回路２や風呂側回路３に設けられた様々なアクチュエータを制御し得る構成となっている。
【００３０】
図２のように、コントローラ２２には、複数のリモートコントローラ（リモートコントローラ装置１００、１０１）がコントローラ２２と通信し得る構成で接続されている。リモートコントローラ装置１００は、浴室内に設けられる第１リモートコントローラであり、リモートコントローラ装置１０１は、浴室とは異なる場所（例えば台所等）に設けられる第２リモートコントローラである。
【００３１】
（リモートコントローラ装置の構成）
次に、浴室内に設けられるリモートコントローラ装置１００の構成を詳述する。なお、
リモートコントローラ装置１０１は、リモートコントローラ装置１００と同様の構成となっていてもよく、リモートコントローラ装置１００とは異なる構成（公知の台所用リモートコントローラの構成）であってもよい。
【００３２】
図４で示すように、リモートコントローラ装置１００は、タッチパネル式の表示装置１２２を備えた情報処理端末１１０と、所定の位置に設置される保持装置１３０とを備える。情報処理端末１１０は、図４のように保持装置１３０に保持され得るものであり、図５、図６のような外観をなす。保持装置１３０は、図４のように情報処理端末１１０を保持し得るものであり、図７のような外観をなす。
【００３３】
図３のように、情報処理端末１１０は、制御装置１１２、二次電池１１４、受電部１７４、第１無線通信部１１８（送信部）、第２無線通信部１２０、表示装置１２２、記憶部１２４、音声装置１２６などを備える。情報処理端末１１０は、図５、図６のような外観をなし、図５のようにリモートコントローラとしての機能を実現することもでき、図６のようにリモートコントローラ以外の機能を実現することもできるようになっている。情報処理端末１１０は、防水性を有するタブレット端末として構成されており、例えば、給電についても端子を露出させない給電方式（例えば公知の非接触給電方式）を採用しており、通信についても端子を露出させない通信方式（例えば公知の無線通信方式）を採用している。なお、外部に金属端子が全く露出していない構成であることが望ましいが、一部に金属端子が露出した構成であってもよい。
【００３４】
図３の構成において、制御装置１１２は、ＣＰＵなどの公知の演算装置、又はＣＰＵと他の周辺回路とによって構成されており、様々な制御や演算を行い得る。二次電池１１４は、充放電可能な公知の電池であり、例えば、リチウムイオン電池などを好適に用いることができる。受電部１７４は、受電コイル１７４Ａと充電制御部１７４Ｂとを備え、受電コイル１７４Ａで生じた電力に基づき、二次電池１１４に供給する充電電流を生成し得る。
【００３５】
第１無線通信部１１８は、例えば公知の第１無線通信方式（例えば、Bluetooth（登録商標）などの公知の近距離無線通信規格に従った通信方式など）で無線通信を行い得る通信装置である。本構成では、少なくとも第１無線通信部１１８と保持装置１３０側の無線通信部１３８とが第１無線通信方式で無線通信を行い得る。第１無線通信部１１８は、送信部として機能し、例えば、表示装置１２２にリモートコントローラ画像（後述）が表示された状態で、タッチパネル１２２Ａに対して操作がなされた場合に、操作に応じた動作指示情報を送信するように機能する。
【００３６】
第２無線通信部１２０は、例えば公知の第２無線通信方式（例えば、Ｗｉ−Ｆｉ（登録商標）などの無線ＬＡＮ規格に従った通信方式など）で無線通信を行い得る通信装置である。第２無線通信部１２０は、図１に示すアクセスポイント１８０との間で第２無線通信方式（例えばＷｉ−Ｆｉ通信方式）に従った無線通信を行い得る。アクセスポイント１８０は、インターネット網などの図示しない公衆ネットワークと通信可能に接続されており、第２無線通信部１２０は、アクセスポイント１８０を介してインターネット網に接続可能となっている。
【００３７】
表示装置１２２は、公知のタッチパネル式の表示装置であり、液晶表示装置又はその他の画像表示装置として構成される表示部１２２Ｂと、この表示部１２２Ｂの前方を覆うように配置される透明性のタッチパネル１２２Ａとを有してなる。表示部１２２Ｂは、様々な画像を表示し得る装置であればよく、公知の様々な画像表示装置を採用し得る。また、タッチパネル１２２Ａは、表示部１２２Ｂの画像を外部から視認可能な構成で表示部１２２Ｂを覆う構成であればよく、公知の様々なタッチパネルを採用し得る。
【００３８】
記憶部１２４は、情報を記憶し得る装置であれば良く、例えば、ＲＯＭ、ＲＡＭ、不揮発性メモリなどの公知の半導体記憶装置を複数種類設けた構成とすることができる。音声装置１２６は、音声を発する装置であればよく、例えば、スピーカーやブザーなどの公知の音声装置を採用することができる。
【００３９】
図３、図４のように、保持装置１３０は、制御装置１３２、電源部１３４、送電部１７２、無線通信部１３８、表示部１４０、伝送部１４２、保持部１５０などを備える。
【００４０】
制御装置１３２は、マイクロコンピュータなどの公知の演算装置、又はマイクロコンピュータと他の周辺回路とによって構成されており、様々な制御や演算を行い得る。電源部１３４は、電源電圧を生成する公知の電源回路などによって構成され、例えば外部の商用電源からの電力供給に基づき、保持装置１３０内の各電気部品に供給する動作電圧を生成する。送電部１７２は、送電コイル１７２Ａと送電制御部１７２Ｂとを備え、受電部１７４との間で公知の非接触電力伝送方式による電力伝送を行い得る。
【００４１】
無線通信部１３８（受信部）は、上述した第１無線通信方式（例えば、Bluetooth（登録商標）などの公知の近距離無線通信規格に従った通信方式など）で無線通信を行い得る通信装置であり、少なくとも情報処理端末１１０側の第１無線通信部１１８と第１無線通信方式で無線通信を行い得る。無線通信部１３８は、受信部として機能し、第１無線通信部１１８から動作指示情報が無線送信された場合に、この動作指示情報を受信する。
【００４２】
表示部１４０は、１又は複数のランプや画像表示装置などによって構成されており、制御装置１３２によって表示内容が制御され得る。伝送部１４２は、有線方式又は無線方式で通信を行う通信装置として構成されている。具体的には、例えば、伝送部１４２と給湯器１Ａのコントローラ２２とが１又は複数の通信線２４によって電気的に接続されており、伝送部１４２は、この通信線２４を介しコントローラ２２に情報を伝送するように構成されている。例えば、伝送部１４２は、無線通信部１３８（受信部）が第１無線通信部１１８から動作指示情報を受信した場合に、動作指示情報又は動作指示情報に対応する対応情報を給湯器１Ａに伝送するように機能する。伝送部１４２は、コントローラ２２からの情報を、通信線２４を介して受信する機能を備えていてもよい。
【００４３】
保持装置１３０は、図７のような外観をなし、例えば、浴室の壁部に固定される形態で設置されるようになっており、具体的には、保持部１５０が浴室の壁部に固定されるようになっている。保持部１５０は、情報処理端末１１０を保持する部分であり、載置部１５２、背面側配置部１６０、側部対向部１５５，１５６、前面側対向部１５８などを備える。保持部１５０において、載置部１５２、背面側配置部１６０、側部対向部１５５，１５６、前面側対向部１５８は、例えば樹脂部材によって構成されている。
【００４４】
背面側配置部１６０は、図４のような保持状態のときに情報処理端末１１０の背面側に配置される部分であり、例えば、箱状に構成されるとともに後端部側が浴室の壁部に固定される形態をなす。図７で示す背面側配置部１６０の内部には、保持装置１３０を構成する電気部品（図３で示す制御装置１３２、送電部１７２、無線通信部１３８等）が収容されている。背面側配置部１６０の前面部１６０Ａは、図４のような保持状態のときに情報処理端末１１０の背面部（裏面部）と対向し、情報処理端末１１０の背面部を後方側から支持するように機能する。
【００４５】
図７で示す載置部１５２は、情報処理端末１１０が載置される部分であり、背面側配置部１６０の下端部付近から前方側に延出した構成で背面側配置部１６０と一体的に設けられている。載置部１５２は、図４のような保持状態のときに情報処理端末１１０の端部を下方側から支持するように機能する。図７のように載置部１５２には、情報処理端末１１０を載置する載置面側から下方側に水を抜くための水抜き孔１５４が複数形成されており、載置面上に水が貯留した場合にその水が水抜き孔１５４を介して下方側に抜けやすくなっている。
【００４６】
側部対向部１５５，１５６は、図４のような保持状態のときに情報処理端末１１０の各側部（具体的には、各側部の下半分程度）と対向して配置される部分であり、背面側配置部１６０の左右両端部付近からそれぞれが前方側に延出した構成で背面側配置部１６０及び載置部１５２と一体的に設けられている。側部対向部１５５，１５６は、図４のような保持状態のときに情報処理端末１１０の左右方向の移動を規制し、情報処理端末１１０が保持部１５０から左右方向に離脱することを防止するように機能する。前面側対向部１５８は、図４のような保持状態のときに情報処理端末１１０の前面部（タッチパネル１２２Ａ側の外面部）の一部と対向して配置される部分であり、載置部１５２及び側部対向部１５５，１５６と一体的に設けられている。この前面側対向部１５８のうち、左右に設けられた離脱防止部１５８Ａ，１５８Ｂは、図４のような保持状態のときに情報処理端末１１０の左右縁部且つ下半分付近と前後に対向するように位置し、情報処理端末１１０が保持部１５０から前側に離脱することを防止するように機能する。前面側対向部１５８のうち、下端部に設けられた離脱防止部１５８Ｃは、図４のような保持状態のときに情報処理端末１１０の下端縁部と前後に対向するように位置し、情報処理端末１１０が保持部１５０から前側に離脱することを防止するように機能する。
【００４７】
（リモートコントローラ装置の動作）
リモートコントローラ装置１００では、制御装置１１２が検出部として機能し、情報処理端末１１０が所定の配置状態となったことを検出する。具体的には、図４のように情報処理端末１１０が保持部１５０に保持された保持状態を「所定の配置状態」とし、制御装置１１２（検出部）はこのような「所定の配置状態」となったことを検出し得るように構成されている。
【００４８】
例えば、制御装置１１２は、送電部１７２と受電部１７４との間の非接触給電によって受電部１７４で充電電流が生成されるようになった状態を「所定の配置状態」と判定し、受電部１７４で充電電流が生成されない状態を「所定の配置状態ではない」と判定するような判定方法を用いることができる。
【００４９】
なお、このような判定方法に限定されず、例えば、載置部１５２などに公知の近接センサ、圧力センサ、押圧スイッチなどを設け、近接センサ、圧力センサ、押圧スイッチなどによって近接検知信号、圧力上昇信号、押圧検知信号などが生成された場合に、制御装置１１２が「所定の配置状態」と判定し、そうでない場合に「所定の配置状態」と判定しないようにしてもよい。
【００５０】
具体的には、例えば、情報処理端末１１０と保持装置１３０のいずれか一方側において保持状態（図４のように情報処理端末１１０が保持装置１３０において所定の正規姿勢で保持された状態）のときに他方側に近接する位置に永久磁石を配置し、他方側において保持状態のときにその永久磁石に近接する位置に磁気を検知し得る磁気センサを配置してもよい。そして、磁気センサが永久磁石の磁気を検知した場合に「所定の配置状態」と判定し、そうでない場合には「所定の配置状態」と判定しないようにしてもよい。
【００５１】
或いは、情報処理端末１１０と保持装置１３０のいずれか一方側において保持状態のときに他方側の一部に接触する位置に第１の金属端子を配置し、他方側において保持状態のときにその第１の金属端子に接触する位置に第２の金属端子を配置してもよい。そして、第１の金属端子と第２の金属端子とが接触状態となった場合に「所定の配置状態」と判定し、そうでない場合には「所定の配置状態」と判定しないようにしてもよい。端子同士が接触状態であるか否かを判定する回路は、公知の様々な回路を採用できる。
【００５２】
或いは、情報処理端末１１０と保持装置１３０のいずれか一方側には、保持状態のときに他方側の一部に接触する位置に凸部を形成し、他方側には、保持状態のときにその凸部に接触する位置にボタンスイッチなどの押圧検知部（所定位置が押圧された場合に押圧検知信号を発生させ、所定位置が押圧されていない場合に押圧検知信号を発生させない電気部品）を配置し、保持状態のときには一方側の凸部が他方側の押圧検知部を押圧することで押圧検知部から押圧検知信号が出力され、保持状態でないときには押圧検知部から押圧検知信号が出力されないようにしてもよい。この場合、押圧検知部から押圧検知信号が発生した場合に「所定の配置状態」と判定し、そうでない場合には「所定の配置状態」と判定しないようにすればよい。
【００５３】
いずれの例においても、「所定の配置状態」であるか否かを判定する判定部は、情報処理端末１１０の制御装置１１２によって実現されてもよく、保持装置１３０の制御装置１３２によって実現されてもよい。制御装置１３２が判定部として機能する場合、「所定の配置状態」と判定したときに制御装置１３２及び無線通信部１３８によって「所定の配置状態」である旨の判定信号を情報処理端末１１０に無線送信し、「所定の配置状態」と判定しない場合には判定信号を無線送信しないようにすればよい。この場合、制御装置１１２は、第１無線通信部１１８が上記判定信号を受信した場合を「所定の配置状態を検出した状態」とし、上記判定信号を受信していない場合を「所定の配置状態を検出していない状態」とすればよい。
【００５４】
更に、制御装置１１２は、表示制御部として機能し、上述したいずれかの方法により「所定の配置状態」を検出した場合（即ち、保持状態を検出した場合）に、表示装置１２２に表示する待機画像をリモートコントローラ画像とする第１表示モードに切り替え、所定の解除条件が成立した場合にリモートコントローラ画像の表示を解除する第２表示モードに切り替えるように動作する。例えば、リモートコントローラ装置１００が図１のような離脱状態から図４のような保持状態に切り替わった場合、図３で示す制御装置１１２によって「所定の配置状態」が検出され、図５のようなリモートコントローラ画像を表示するモード（第１表示モード）に切り替わる。
【００５５】
なお、第１表示モードは、待機画像としてリモートコントローラ画像を表示するモードであればよく、第１表示モードにおいて待機画像は常に表示されていても、表示されていなくてもよい。例えば、一定時間操作がない場合に待機画像（リモートコントローラ画像）の表示を停止させて省電力モードとし、何らかの操作があった場合に再び待機画像（リモートコントローラ画像）を表示させるようなモードとなっていてもよい。
【００５６】
図５に示すリモートコントローラ画像１０２では、給湯器１Ａを操作するための様々な表示ボタンの画像（ボタン画像）や、給湯器１Ａの状態を示す様々な画像（状態画像）が表示されるようになっている。リモートコントローラ画像１０２に含まれる状態画像としては、図５のように、給湯温度を示す画像や、ふろ温度を示す画像、時刻を示す画像、各種設定状態を示す画像などが表示されるようになっている。リモートコントローラ画像１０２に含まれる操作部画像（ボタン画像）としては、図５のように、運転切替ボタンの画像１０４Ａ、通話ボタンの画像１０４Ｂ、追い焚き指示ボタンの画像１０４Ｃ、自動湯張り指示ボタンの画像１０４Ｄ、優先切替ボタンの画像１０４Ｅなどが表示されるようになっている。これら以外にも、給湯温度切替ボタンの画像、ふろ温度切替ボタンの画像、メニューボタンの画像、確定ボタンの画像、湯量切替ボタンの画像、保温時間切替ボタンの画像、たし湯指示ボタンの画像、さし水指示ボタンの画像、エコモード切替ボタンの画像、タイマ設定ボタンの画像などが表示されるようになっている。
【００５７】
図５のように表示装置１２２にリモートコントローラ画像１０２が表示された状態で、タッチパネル１２２Ａに対して操作がなされた場合、第１無線通信部１１８（送信部）が操作に応じた動作指示情報を無線通信部１３８（受信部）に無線送信するようになっている。なお、情報処理端末１１０では、リモートコントローラ画像１０２に含まれる複数の画像を用いた複数の操作が規定されており、それら複数の操作の各々に対応するように動作指示情報が対応付けられ、対応データが図示しないメモリなどに記憶されている。そして、図５のようにリモートコントローラ画像１０２が表示された状態で、タッチパネル１２２Ａに表示される１又は複数の画像に対して操作がなされた場合、制御装置１１２は、その操作に対応する動作指示情報を対応データに基づいて特定し、制御装置１１２及び第１無線通信部１１８は、特定された動作指示情報を無線通信部１３８（受信部）に無線送信するようになっている。一方、保持装置１３０は、中継装置として機能し、無線送信された情報を受信する無線通信部１３８（受信部）と、給湯器１Ａに情報を伝送する伝送部１４２とを備える。保持装置１３０側では、無線通信部１３８が動作指示情報を受信した場合、制御装置１３２は、その動作指示情報又はその動作指示情報に対応する対応情報を伝送部１４２によってコントローラ２２に伝送するように制御を行う。動作指示情報に対応する対応データ（第１の動作指示情報を特定可能なデータであり、第１の動作指示情報に情報を付加したり、第１の動作指示情報を加工したデータなど）
【００５８】
本構成では、図５のようなリモートコントローラ画像１０２の表示中に、リモートコントローラ画像１０２に含まれる１又は複数の画像に対して第１の操作がなされた場合、この第１の操作に対応する第１の動作指示情報が制御装置１１２によって特定され、制御装置１１２及び第１無線通信部１１８によって第１の動作指示情報が保持装置１３０に無線送信される。保持装置１３０は、無線通信部１３８が第１の動作指示情報を受信した場合、制御装置１３２及び伝送部１４２により、第１の動作指示情報そのもの又は第１の動作指示情報に対応する対応データ（第１の動作指示情報を特定可能なデータであり、第１の動作指示情報に情報を付加したり、第１の動作指示情報を加工したデータなど）をコントローラ２２に送信する。
【００５９】
例えば、リモートコントローラ画像１０２が表示された状態で、図５で示すボタン画像のいずれかの位置でタッチパネル１２２Ａを接触する操作がなされた場合、制御装置１１２は、その接触位置で表示されるボタン画像（接触された部分に覆われたエリアで表示されるボタン画像）を認識し、そのボタン画像に対応する動作指示情報（例えば所定のコマンド）を第１無線通信部１１８によって無線通信部１３８に無線送信する。具体的には、ユーザにより、追い焚き指示ボタンの画像１０４Ｃが表示される位置（具体的には、タッチパネル１２２Ａにおける画像１０４Ｃの表示側の表面部）でタッチパネル１２２Ａを接触する操作がなされた場合、制御装置１１２は、その接触位置で表示される追い焚き指示ボタンの画像１０４Ｃを認識し、第１無線通信部１１８は、そのボタン画像に対応する動作指示情報（例えば、追い焚きを指示するコマンド）を無線通信部１３８に無線送信する。これに応じて、伝送部１４２から動作指示情報（例えば、追い焚きを指示するコマンド）そのもの、又は動作指示情報に対応する対応情報がコントローラ２２に送信される。同様に、自動湯張り指示ボタンの画像１０４Ｄの位置でタッチパネル１２２Ａを接触する操作がなされた場合、制御装置１１２は、その接触位置で表示される自動湯張り指示ボタンの画像１０４Ｄを認識し、第１無線通信部１１８は、そのボタン画像に対応する動作指示情報（例えば、自動湯張りを指示するコマンド）そのもの、又は動作指示情報に対応する対応情報を無線通信部１３８に無線送信する。これに応じて、伝送部１４２から動作指示情報（例えば、自動湯張りを指示するコマンド）そのもの、又は動作指示情報に対応する対応情報がコントローラ２２に送信される。コントローラ２２は、保持装置１３０の伝送部１４２から動作指示情報（又は対応情報）を受信した場合、その動作指示情報（又は対応情報）に従い、その動作指示情報(又は対応情報)で特定される動作を給湯器１Ａに行わせる。例えば、コントローラ２２は、動作指示情報又は対応情報として追い焚きを指示するコマンドを受信した場合、公知の方法で追い焚きを実行するように給湯器１Ａを制御する。同様に、コントローラ２２は、動作指示情報又は対応情報として自動湯張りを指示するコマンドを受信した場合、公知の方法で自動湯張りを実行するように給湯器１Ａを制御する。
【００６０】
本構成では、情報処理端末１１０と保持装置１３０との間は無線通信によって情報の伝送を行うため、情報処理端末１１０が防水構造となっていても、保持装置１３０に対して確実に情報を伝送することができる。例えば、情報処理端末１１０の表面に金属端子が露出しないような防水構造となっていても、情報処理端末１１０から保持装置１３０に対して良好に情報を伝送することが可能となる。このような構成は、リモートコントローラ装置１００を浴室内に設置する場合など、情報処理端末１１０が濡れる可能性が高い場合により有効である。一方で、保持装置１３０とコントローラ２２との間は通信線を介した有線通信によって情報の伝送を行うため、コントローラ２２が金属製の筐体内に収容された構成であってもコントローラ２２に確実に情報を伝送することができる。例えば、情報処理端末１１０からコントローラ２２に対して無線通信によって直接的に情報（コマンド等）を伝送する方法も考えられるが、この場合、金属製の筐体によって無線通信が遮られてしまう虞がある。本構成によれば、このような問題が生じにくく、情報を確実に伝送しやすくなる。
【００６１】
また、図４のように情報処理端末１１０が保持状態となっているときには、図３で示す充電部１７０によって充電がなされるようになっている。この充電部１７０は、情報処理端末１１０が保持状態（所定の配置状態）のときに保持装置１３０側の電力に基づいて情報処理端末１１０を充電するように機能する。具体的には、充電部１７０は、保持装置１３０に設けられた送電部１７２と、情報処理端末１１０に設けられた受電部１７４とによって構成され、送電部１７２と受電部１７４との間で非接触給電を行うように動作する。非接触給電の方式としては、例えば公知の電磁誘導方式で給電を行うようになっており、送電制御部１７２Ｂの制御によって送電コイル１７２Ａに電流を流すことで磁束を発生させ、この磁束に応じて受電コイル１７４Ａに電流を流すようになっている。そして、受電コイル１７４Ａで発生した電流に基づき、二次電池１１４が充電される。
【００６２】
制御装置１１２は、図４のような保持状態（所定の配置状態）を検出している状態から検出していない状態に切り替わった場合に第２表示モードに切り替えるように動作する。例えば、情報処理端末１１０が図４のような保持状態から図１のような離脱状態に切り替わった場合、制御装置１１２は「所定の配置状態」ではないと判定するため、このような判定に応じて、図５のようなリモートコントローラ画像の表示を解除し、図６のような第２の待機画像を表示する。図６では、情報処理端末１１０が保持装置１３０から取り外され、これに応じてリモートコントローラ画像が解除され、複数のアイコン画像１０６が表示された待機画像（第２の待機画像）が表示された状態を示している。なお、図６では、一部のアイコン画像１０６のみを部分的に示しているが、アイコン画像の数、サイズ、レイアウト等は特に限定されない。
【００６３】
各アイコン画像１０６は、各アプリケーションプログラムを起動させるための画像であり、各アイコン画像１０６が表示された位置で所定操作（例えば、指を接触させる操作）がなされた場合に、操作位置に表示されたアイコン画像に対応したアプリケーションプログラムが起動するようになっている。アプリケーションプログラムの種類は様々であり、動画や音楽を再生するプログラムであってもよく、インターネット上の各サイトにアクセスし得るブラウザなどであってもよく、電子メールやＳＮＳなどのアプリケーションプログラムであってもよい。
【００６４】
ここで、本構成の効果を例示する。
リモートコントローラ装置１００は、所定の解除条件の成立により、リモートコントローラ画像の表示を解除して他の機能を実行することが可能となり、その後、情報処理端末１１０をリモートコントローラとして機能させたい場合には、情報処理端末１１０を所定の配置状態にするという簡単な作業に基づき、待機画像をリモートコントローラ画像とするモード（第１表示モード）に自動的に切り替えることができる。ゆえに、リモートコントローラ機能を実行し得るモードに切り替える際のユーザの手間を軽減することができる。
【００６５】
リモートコントローラ装置１００において、保持装置１３０は、情報処理端末１１０を保持する保持部１５０を備える。制御装置１１２（検出部）は、情報処理端末１１０が保持部１５０に保持された保持状態を所定の配置状態として検出する。このリモートコントローラ装置１００は、情報処理端末１１０をリモートコントローラとして機能させたい場合に、情報処理端末１１０を保持部１５０に保持させる（保持状態にする）という簡単な作業に基づき、待機画像をリモートコントローラ画像とするモード（第１表示モード）に自動的に切り替えることができる。ゆえに、リモートコントローラ機能を実行し得るモードに切り替える際のユーザの手間を軽減することができる。しかも、情報処理端末１１０が保持部１５０に保持された安定状態で、情報処理端末１１０をリモートコントローラとして機能させることができるため、情報処理端末１１０から保持装置１３０側に動作指示情報を確実に伝送しやすくなる。
【００６６】
リモートコントローラ装置１００において、制御装置１１２（表示制御部）は、検出部が所定の配置状態を検出している状態から検出していない状態に切り替わった場合に第２表示モードに切り替えるように動作する。このリモートコントローラ装置１００は、情報処理端末１１０においてリモートコントローラ以外の機能を実行させたい場合に、所定の配置状態を解除するという簡単な作業に基づき、リモートコントローラ画像の表示を解除するモード（第２表示モード）に切り替えることができる。ゆえに、リモートコントローラ以外の機能を実行し得るモードに切り替える際のユーザの手間も軽減することができる。
【００６７】
リモートコントローラ装置１００は、情報処理端末１１０が所定の配置状態のときに保持装置１３０側の電力に基づいて情報処理端末１１０を充電する充電部１７０を有する。このリモートコントローラ装置１００は、情報処理端末１１０を所定の配置状態に戻すという簡単な作業に基づいてリモートコントローラ機能を実行しやすい状態に復帰させ、しかも、その状態で充電も行うことができる。このようにリモートコントローラ機能の実行時に情報処理端末１１０が充電されやすくなるため、リモートコントローラ以外の機能の実行時に充電不足が生じにくくなる。
【００６８】
リモートコントローラ装置１００において、充電部１７０は、保持装置１３０に設けられた送電部１７２と、情報処理端末１１０に設けられた受電部１７４とを備え、送電部１７２と受電部１７４との間で非接触給電を行うように構成されている。このリモートコントローラ装置１００は、情報処理端末１１０と保持装置１３０との間の固定配線や露出端子などを低減又は省略することができる。また、情報処理端末１１０が正規位置から多少ずれていても充電が行われやすくなる。
【００６９】
リモートコントローラ装置１００において、保持装置１３０は、浴室の壁部に固定されるものとなっている。このリモートコントローラ装置１００は、例えば、浴室内で情報処理端末１１０をある程度自由に移動させることができるため、ユーザは、入浴しながら情報処理端末１１０を手に取ったり所望の位置に載置したりしながら、情報処理端末１１０にリモートコントローラ以外の機能の実行させるように楽しむことができる。一方で、浴室内においてリモートコントローラ機能を実行したい場合には、情報処理端末１１０を所定の配置状態にするといった簡単な作業に基づき、待機画像をリモートコントローラ画像とするモード（第１表示モード）に切り替えることができる。
【００７０】
リモートコントローラ装置１００において、保持装置１３０は、情報処理端末１１０を載置する載置部１５２を備える。載置部１５２には、情報処理端末１１０を載置する載置面側から下方側に水を抜くための水抜き孔１５４が形成されている。このリモートコントローラ装置１００は、情報処理端末１１０を手に取って移動させることを可能としつつ、必要に応じて情報処理端末１１０を載置部１５２に載置しておくことができるようになる。しかも、載置部１５２には水抜き孔１５４が形成されているため載置面上に水が貯留しにくくなり、「載置面上に貯留した水が情報処理端末１１０に悪影響を及ぼす」といった事態が生じにくくなる。
【００７１】
＜他の実施例＞
本発明は上記記述及び図面によって説明した実施例に限定されるものではなく、例えば次のような例も本発明の技術的範囲に含まれる。
【００７２】
上述した実施例又は上述した実施例を変更したいずれの例においても、検出部が検出する「所定の配置状態」は、保持部１５０に保持された状態に限定されない。例えば、情報処理端末１１０に搭載された加速度センサからの検出値に基づき、情報処理端末１１０が一定時間以上静止している状態を「所定の配置状態」として検出してもよい。具体的には、情報処理端末１１０に搭載された加速度センサにおいて、一定時間内の加速度変化量が一定値未満である場合を「所定の配置状態」として検出してもよい。
【００７３】
上述した実施例又は上述した実施例を変更したいずれの例においても、情報処理端末１１０から給湯器１Ａへの指示は、保持装置１３０を介さなくてもよい。例えば、情報処理端末１１０が保持装置１３０に保持されているときに、無線通信によって情報処理端末１１０から給湯器１Ａに対して直接的に情報（給湯温度の増減、追い焚き、自動湯張りなどの給湯動作に関するコマンドや、その他の情報）を伝送してもよい。
【００７４】
上述した実施例又は上述した実施例を変更したいずれの例においても、情報処理端末１１０から保持装置１３０への情報の伝送は、無線通信でなくてもよい。例えば、情報処理端末１１０を保持装置１３０に載置したときに情報処理端末１１０に設けられた端子と保持装置１３０に設けられた端子とが接触状態となるように構成し、これらの端子を介した有線通信によって情報処理端末１１０から保持装置１３０に情報を伝送してもよく、保持装置１３０から情報処理端末１１０に情報を伝送してもよい。
【００７５】
実施例１で説明した充電部１７０の例はあくまで一例であり、上述した実施例又は上述した実施例を変更したいずれの例においても、他の非接触給電方式を採用してもよい。例えば、磁気共鳴方式、マイクロ波放電方式などを採用してもよい。
【００７６】
上述した実施例又は上述した実施例を変更したいずれの例においても、保持装置１３０の電力に基づいて情報処理端末１１０を充電する方式は、非接触給電でなくてもよい。例えば、情報処理端末１１０を保持装置１３０に載置したときに情報処理端末１１０に設けられた端子と保持装置１３０に設けられた端子とが接触状態となり、これらの端子を介して保持装置１３０から情報処理端末１１０に電力が供給される方式などであってもよい。
【符号の説明】
【００７７】
１…給湯システム、１Ａ…給湯器、１００…給湯器用のリモートコントローラ装置、１１０…情報処理端末、１１２…制御装置（表示制御部、検出部）、１１８…第１無線通信部（送信部）、１２２…表示装置、１２２Ａ…タッチパネル、１３０…保持装置（中継装置）、１３８…無線通信部（受信部）、１４２…伝送部、１５０…保持部、１５２…載置部、１５４…水抜き孔、１７０…充電部、１７２…送電部、１７４…受電部
【図１】
2018170649.tif 000003
【図２】
2018170649.tif 000004
【図３】
2018170649.tif 000005
【図４】
2018170649.tif 000006
【図５】
2018170649.tif 000007
【図６】
2018170649.tif 000008
【図７】
2018170649.tif 000009